(57)【要約】【課題】共振現象の発生を抑えることができ、遮音性能を高めることが可能な壁構造および壁パネルを提供することを目的とする。【解決手段】所定の間隔で配置される複数の縦桟材１と、複数の縦桟材１の一面側および他面側に設けられて壁面を構成する第一壁面部３および第二壁面部４と、を備える壁構造において、第一壁面部３および第二壁面部４のそれぞれは、複数の層を有するように形成されており、第二壁面部４は、第一壁面部３の層に対応した同じ種類の層と、異なる種類の層と、を有する。また、このような壁構造を適用してなる壁パネル１０は、格子枠状に組まれた複数の縦桟材１と複数の横桟材２の一面側および他面側に、第一壁面部３および第二壁面部４のそれぞれが設けられている。【選択図】図１
2015232248.tif 000002
【特許請求の範囲】
【請求項１】
所定の間隔で配置される複数の縦桟材と、
前記複数の縦桟材の一面側および他面側に設けられて壁面を構成する第一壁面部および第二壁面部と、を備える壁構造において、
前記第一壁面部および前記第二壁面部のそれぞれは、複数の層を有するように形成されており、
前記第二壁面部は、前記第一壁面部の層に対応した同じ種類の層と、異なる種類の層と、を有することを特徴とする壁構造。
【請求項２】
請求項１に記載の壁構造において、
前記第一壁面部は、石膏ボードからなる一つの層を有しており、
前記第二壁面部は、前記第一壁面部の前記石膏ボードからなる層に対応する層として、当該石膏ボードとは異なる種類である硬質石膏ボードからなる層を有することを特徴とする壁構造。
【請求項３】
請求項１または２に記載の壁構造において、
前記第一壁面部および前記第二壁面部は、互いに対応する層として、金属板からなる層を有することを特徴とする壁構造。
【請求項４】
請求項１〜３のいずれか一項に記載の壁構造において、
前記第一壁面部および前記第二壁面部は、互いに対応する層として、粘弾性材からなる層を有することを特徴とする壁構造。
【請求項５】
請求項１〜４のいずれか一項に記載の壁構造において、
前記複数の縦桟材に直交して配置される複数の横桟材を備えており、
前記複数の横桟材の縦方向の間隔は、部分的に不均等になるように設定されていることを特徴とする壁構造。
【請求項６】
請求項５に記載の壁構造を適用してなる壁パネルであって、
前記複数の縦桟材と前記複数の横桟材とが格子枠状に組まれ、当該格子枠状に組まれた前記複数の縦桟材と前記複数の横桟材の一面側および他面側に、前記第一壁面部および前記第二壁面部のそれぞれが設けられていることを特徴とする壁パネル。
【発明の詳細な説明】
【技術分野】
【０００１】
本発明は、壁構造および壁パネルに関する。
【背景技術】
【０００２】
従来、プライバシー保護を目的として、隣り合う部屋と部屋との間や、共同住宅の各住戸間に設けられる遮音性能の高い界壁が知られている（例えば特許文献１参照）。
このような界壁では、壁面材の裏面にそれぞれ複数の桟材を配列し、各列の桟材に壁面材を張り付けて壁面材の支持を行っている。そして、これらの桟材の配列を千鳥状にした千鳥配列式のものもある。千鳥配列式の界壁では、各壁面材が押圧されても桟材同士が互いに接触することがない。このため、界壁の一方の空間で音が発生して当該空間側の壁面材が振動しても、反対側の壁面材は振動しにくくなるので、界壁を境にして隣り合う一方の空間から他方の空間へ伝達される音量が低減される利点がある。
【先行技術文献】
【特許文献】
【０００３】
【特許文献１】特開平０７−０９０９６０号公報
【発明の概要】
【発明が解決しようとする課題】
【０００４】
ところで、界壁を形成するに当たって、例えば桟材を対称的にバランスよく配置したり、同種の素材からなる壁面材を用いたりすると、全体的に振動特性が均質化して、共振現象が発生しやすくなる場合がある。そのため、共振現象の発生を抑え、遮音性能をより高めたいという要望があった。
【０００５】
本発明の課題は、共振現象の発生を抑えることができ、遮音性能を高めることが可能な壁構造および壁パネルを提供することを目的とする。
【課題を解決するための手段】
【０００６】
請求項１に記載の発明は、例えば図１〜図３に示すように、所定の間隔で配置される複数の縦桟材１と、
前記複数の縦桟材１の一面側および他面側に設けられて壁面を構成する第一壁面部３および第二壁面部４と、を備える壁構造において、
前記第一壁面部３および前記第二壁面部４のそれぞれは、複数の層を有するように形成されており、
前記第二壁面部４は、前記第一壁面部３の層に対応した同じ種類の層と、異なる種類の層と、を有することを特徴とする。
【０００７】
請求項１に記載の発明によれば、第二壁面部４は、第一壁面部３の層に対応した同じ種類の層と、異なる種類の層と、を有するので、第一壁面部３と第二壁面部４とで振動の特性が異なるものとなり、共振現象が発生しにくくなる。これによって、第一壁面部３が面する部屋等の空間で発生した音の振動が、第二壁面部４が面する部屋等の空間に伝わりにくくなるので、遮音性能を高めることができる。
【０００８】
請求項２に記載の発明は、例えば図１〜図３に示すように、請求項１に記載の壁構造において、
前記第一壁面部３は、石膏ボード８からなる一つの層を有しており、
前記第二壁面部４は、前記第一壁面部３の前記石膏ボード８からなる層に対応する層として、当該石膏ボード８とは異なる種類である硬質石膏ボード９からなる層を有することを特徴とする。
【０００９】
請求項２に記載の発明によれば、第二壁面部４は、第一壁面部３の石膏ボード８からなる層に対応する層として、当該石膏ボード８とは異なる種類である硬質石膏ボード９からなる層を有するので、第一壁面部３と第二壁面部４とで振動の特性を異なるものとすることができる。また、硬質石膏ボード９は、通常の石膏ボード８に比して強度の面でも優れる。
【００１０】
請求項３に記載の発明は、例えば図１〜図３に示すように、請求項１または２に記載の壁構造において、
前記第一壁面部３および前記第二壁面部４は、互いに対応する層として、金属板７からなる層を有することを特徴とする。
【００１１】
請求項３に記載の発明によれば、第一壁面部３および第二壁面部４は、互いに対応する層として、金属板７からなる層を有するので、遮音性能や強度を向上させることができる。
【００１２】
請求項４に記載の発明は、例えば図３に示すように、請求項１〜３のいずれか一項に記載の壁構造において、
前記第一壁面部３および前記第二壁面部４は、互いに対応する層として、粘弾性材Ｎからなる層を有することを特徴とする。
【００１３】
請求項４に記載の発明によれば、第一壁面部３および第二壁面部４は、互いに対応する層として、粘弾性材Ｎからなる層を有するので、当該粘弾性材Ｎによって第一壁面部３および第二壁面部４の制振を行うことができ、遮音性能をより高めることができる。
【００１４】
請求項５に記載の発明は、例えば図１〜図３に示すように、請求項１〜４のいずれか一項に記載の壁構造において、
前記複数の縦桟材１に直交して配置される複数の横桟材２を備えており、
前記複数の横桟材２の縦方向の間隔は、部分的に不均等になるように設定されていることを特徴とする。
【００１５】
請求項５に記載の発明によれば、複数の横桟材２の縦方向の間隔Ｐ１，Ｐ２は、部分的に不均等になるように設定されているので、全体的な振動の特性が均質化しなくなる。これによって、共振現象が発生しにくくなるので、遮音性能をより高めることができる。
【００１６】
請求項６に記載の発明は、例えば図１〜図３に示すように、請求項５に記載の壁構造を適用してなる壁パネル１０（１０Ａ）であって、
前記複数の縦桟材１と前記複数の横桟材２とが格子枠状に組まれ、当該格子枠状に組まれた前記複数の縦桟材１と前記複数の横桟材２の一面側および他面側に、前記第一壁面部３および前記第二壁面部４のそれぞれが設けられていることを特徴とする。
【００１７】
請求項６に記載の発明によれば、壁パネル１０（１０Ａ）として予め工場で製造できるとともに持ち運びもしやすいので、施工性を向上させることができる。また、格子枠状に組まれた複数の縦桟材１と複数の横桟材２の一面側および他面側に、第一壁面部３および第二壁面部４のそれぞれが設けられているので、壁パネル１０（１０Ａ）として形成しても、共振現象の発生を抑えることができ、遮音性能を高めることが可能となる。
【発明の効果】
【００１８】
本発明によれば、共振現象の発生を抑えることができ、遮音性能を高めることが可能となる。
【図面の簡単な説明】
【００１９】
【図１】壁パネルの構造を説明する図である。
【図２】並設された壁パネルの構造を説明する図である。
【図３】粘弾性材を有する壁パネルの構造を説明する図である。
【発明を実施するための形態】
【００２０】
以下、図面を参照して本発明の実施の形態について説明する。
本実施の形態の壁構造は、所定の間隔で配置される複数の縦桟材１と、複数の縦桟材１の一面側および他面側に設けられて壁面を構成する第一壁面部３および第二壁面部４と、を備えるものである。
さらに、本実施の形態においては、複数の縦桟材１に直交して配置される複数の横桟材２と、内部中空部に充填されるグラスウールやロックウール等の断熱材５も備えるものとする。
なお、図１〜図３に示す壁構造は、壁パネル１０（建築用壁パネル）として形成されたものである。当該壁パネル１０は、複数の縦桟材１と複数の横桟材２とが格子枠状に組まれ、当該格子枠状に組まれた複数の縦桟材１と複数の横桟材２の一面側および他面側に、第一壁面部３および第二壁面部４のそれぞれが設けられて構成されている。
本実施の形態においてはパネル化された壁構造である壁パネル１０について説明するが、パネル化しない状態の壁構造であっても、同様の構成を採用すれば同様の効果を得ることができる。
【００２１】
縦桟材１は、図１に示す壁パネル１０には三本用いられている。
三本の縦桟材１のうち、壁パネル１０の左右側端部に位置する二本の縦桟材１，１は、壁パネル１０の格子枠を形成する縦框として機能するものである。
また、左右側端部の二本の縦桟材１，１は、中央の縦桟材１に比して上下方向に長く設定されており、幅寸法および厚さ寸法は略等しく設定されている。さらに、中央に位置する一本の縦桟材１は、左右側端部の二本の縦桟材１，１の中間に配置されているため、これら三本の縦桟材１は、等間隔に配置された状態となっている。
【００２２】
なお、本実施の形態においては、これら複数の縦桟材１が等間隔に配置されているものとしたが、これに限られるものではなく、縦桟材１，１同士の間隔が不均等になるように配置されてもよい。そして、このように縦桟材１，１同士の間隔が不均等であれば、壁パネル１０における全体的な振動特性の均質化を防ぐうえで好ましい。
また、用いられる縦桟材１の本数も、複数であれば特に限定されるものではない。さらに、当該縦桟材１は木製であるが、金属製やその他の素材からなるものであってもよい。
【００２３】
横桟材２は、図１に示す壁パネル１０には六本用いられている。
六本の横桟材２のうち、壁パネル１０の上下端部に位置する二本の横桟材２，２は、壁パネル１０の格子枠を形成する横框として機能するものである。当該横框として機能する上下の二本の横桟材２，２は、縦框として機能する左右側端部の二本の縦桟材１，１の上端部間および下端部間に架け渡されている。
上下の横桟材２，２間に配置される四本の横桟材２は、中央の縦桟材１と交差して設けられる。すなわち、本実施の形態においては、四本の横桟材２と中央の縦桟材１との交差部分には互いに噛み合う凹型の切欠部（図示せず）が形成されている（相欠き加工）。ただし、これに限られるものではなく、間隔を空けて離間する縦桟材１，１（または横桟材２，２）間に、短尺な横桟材（または短尺な縦桟材）を架け渡して固定する突き付け納まりを採用してもよいものとする。
【００２４】
そして、当該六本の横桟材２の縦方向（上下方向）の間隔は、部分的に不均等になるように設定されている。すなわち、図１に示すように、壁パネル１０の下端部側の横桟材２から、上から二番目の横桟材２までは、互いの間隔Ｐ１が均等に設定されているが、上から二番目の横桟材２から上端部側の横桟材２までの間隔Ｐ２は、上から二番目の横桟材２よりも下方における横桟材２，２間の間隔Ｐ１よりも広く設定されている。
なお、本実施の形態においては、上から二番目の横桟材２と上端部側の横桟材２との間隔Ｐ２を、間隔Ｐ１よりも広く設定して、複数の横桟材２の縦方向の間隔が、部分的に不均等になるようにしたが、これに限られるものではない。すなわち、上下の横桟材２，２を除いて、上下の横桟材２，２間に配置された複数の横桟材２をどのように配置して互いの間隔をどれだけ不均等にするかは、適宜変更可能である。例えば、間隔Ｐ２が壁パネル１０の下端部寄りや中央にあってもよいし、上述のような均等な間隔Ｐ１が無くてもよい。
また、用いられる横桟材２の本数も、複数であれば特に限定されるものではない。さらに、当該横桟材２は木製であるが、金属製やその他の素材からなるものであってもよい。
【００２５】
第一壁面部３および第二壁面部４のそれぞれは、複数の層を有するように形成されている。そして、第二壁面部４は、第一壁面部３の層に対応した同じ種類の層と、異なる種類の層と、を有する。
より詳細に説明すると、図１（ａ），（ｂ）に示すように、第一壁面部３は、複数の縦桟材１および複数の横桟材２の一面側に取り付けられる合板６からなる層（第一層）と、当該合板６に重ね合わせられる金属板７からなる層（第二層）と、当該金属板７に重ね合わせられる二枚の石膏ボード８，８からなる層（第三層，第四層）と、を有する。
一方、第二壁面部４は、複数の縦桟材１および複数の横桟材２の他面側に取り付けられる合板６からなる層（第一層）と、当該合板６に重ね合わせられる金属板７からなる層（第二層）と、当該金属板７に重ね合わせられる石膏ボード８からなる層（第三層）と、当該石膏ボード８に重ね合わせられる硬質石膏ボード９からなる層（第四層）と、を有する。
換言すれば、第一壁面部３および第二壁面部４は、互いに対応する層（第一層）として、合板６からなる層を有する。
また、第一壁面部３および第二壁面部４は、互いに対応する層（第二層）として、金属板７からなる層を有する。
また、第一壁面部３および第二壁面部４は、互いに対応する層（第三層）として、石膏ボード８からなる層を有する。
さらに、第一壁面部３は、石膏ボード８からなる一つの層（第四層）を有しており、第二壁面部４は、第一壁面部３の石膏ボード８からなる層（第四層）に対応する層（第四層）として、当該石膏ボード８とは異なる種類である硬質石膏ボード９からなる層を有する。
【００２６】
ここで、硬質石膏ボード９とは、比重１．２の普通硬質石膏ボード（記号：ＧＢ−Ｒ−Ｈ、ＪＩＳ Ａ ６９０１）を指している。石膏ボード８は、比重０．６５の石膏ボード（記号：ＧＢ−Ｒ、ＪＩＳＡ ６９０１）が採用されている。すなわち、硬質石膏ボード９は、石膏ボード８よりも比重が大きく、その他、曲げ破壊荷重やヤング率等の面でも優れており、強度が高い。
なお、石膏ボード８および硬質石膏ボード９の比重は、上述の数値に限られるものではない。すなわち、一般的に、石膏ボード８は比重が０．６０〜０．９０の範囲のもの、硬質石膏ボード９は比重が１．００〜１．４５の範囲のものが好適に用いられる。さらには、当該石膏ボード８および硬質石膏ボード９の比重に係る数値範囲も、これに限定されるものではなく、本発明の趣旨を逸脱しない範囲で適宜変更可能である。
なお、第一壁面部３および第二壁面部４の各層を構成する各種面材の厚さ寸法としては、合板６が５ｍｍ、金属板７が０．６ｍｍ、石膏ボード８が１２．５ｍｍ、硬質石膏ボード９が１２．５ｍｍに設定されている。
また、本実施の形態において金属板７としては、鉄板、鋼板、鉛板等が採用されるが、遮音性能や強度を向上できるものであれば、特にこれに限定されるものではない。
【００２７】
以上のような壁パネル１０は、複数の縦桟材１と、複数の横桟材２と、第一壁面部３の合板６と、第二壁面部４の合板６と、断熱材５と、を備えた状態まで、工場等において予め製造されている。なお、接着剤やビス、ネジ等が適宜使用される。
一方、金属板７と、石膏ボード８と、硬質石膏ボード９は、現場施工される。
すなわち、第一壁面部３の合板６もしくは第二壁面部４の合板６のいずれかに、図示はしないが、上下端部の横桟材２，２の少なくとも一方を貫通するアンカーボルト等のボルト材にナットを締め付けるための穴が形成される場合がある。
また、図２に示すように、金属板７や石膏ボード８、硬質石膏ボード９は、現場での施工性を向上させるために、隣接する壁パネル１０，１０に跨って設けられてもよい。図２では、第一壁面部３側において金属板７が壁パネル１０，１０に跨った状態であり、第二壁面部４側において金属板７と、石膏ボード８と、硬質石膏ボード９とが壁パネル１０，１０に跨った状態である。この場合、壁パネル１０，１０双方の第一壁面部３，３同士および第二壁面部４，４同士は一体化したような状態となっている。
さらに、金属板７や石膏ボード８、硬質石膏ボード９は、一つの壁パネル１０の一面側または他面側の半分程度の幅寸法に設定されていてもよい。
これらの点を鑑みると、金属板７と、石膏ボード８と、硬質石膏ボード９は、現場施工されることが望ましい。
ただし、これに限られるものではなく、金属板７と石膏ボード８、および硬質石膏ボード９を、予め工場等で合板６に重ね合わせて第一壁面部３および第二壁面部４を形成しておくようにしてもよい。
なお、金属板７は、釘（図示せず）によって各桟材１，２または合板６に留め付けられている。また、石膏ボード８および硬質石膏ボード９は、石膏ボード用のネジ１１によって、各桟材１，２および合板６に留め付けられている。
【００２８】
また、以上のような壁パネル１０を製造する場合においては、複数の横桟材２の縦方向の間隔を、部分的に不均等な箇所ができるように製造する必要がある。
すなわち、複数の縦桟材１と複数の横桟材２とを格子枠状に組んでいく工程において、不均等な間隔Ｐ２を形成したい箇所の横桟材２を取り付けないようにする。また、設計段階において、中央の縦桟材１の、不均等な間隔Ｐ２を形成したい箇所に、横桟材２を交差させるための前記切欠部を形成しないようにする。
これによって、複数の横桟材２の縦方向の間隔が、部分的に不均等になるように設定された壁パネル１０を製造することができる。
【００２９】
また、本実施の形態においては、壁パネル１０，１０を隣接して設置する場合に、図２に示すように、それぞれの壁パネル１０における間隔Ｐ２の位置が揃った状態になっている。
ただし、これに限られるものではなく、それぞれの壁パネル１０，１０における間隔Ｐ２の位置が揃わない状態にしてもよい。すなわち、隣接する壁パネル１０，１０における複数の横桟材２の位置を、必ずしも揃える必要はない。例えば単純に、隣接する壁パネル１０，１０の一方と他方の天地を逆（互い違い）にすればよい。
このように壁パネル１０，１０における間隔Ｐ２の位置が揃わない状態にすれば、密接に結合した壁パネル１０，１０における振動の特性が均質化しなくなるので、遮音性能を高めるうえで好ましい。
【００３０】
なお、図２に示す壁パネル１０，１０の横桟材２には、各種配線を通すための切欠部２ａが形成されており、当該切欠部２ａが、音の伝達の抑制に寄与する場合がある。
【００３１】
なお、第一壁面部および第二壁面部は、さらに制振性（遮音性）の高い部材を有するものとしてもよい。
すなわち、図３に示す壁パネル１０Ａは、第一壁面部３Ａおよび第二壁面部４Ａが、互いに対応する層として、粘弾性材Ｎからなる層を有する。
より詳細に説明すると、第一壁面部３Ａは、複数の縦桟材１および複数の横桟材２の一面側に取り付けられる合板６からなる層（第一層）と、当該合板６に重ね合わせられる金属板７からなる層（第二層）と、当該金属板７の表面に設けられる粘弾性材Ｎからなる層（第三層）と、当該粘弾性材Ｎに重ね合わせられる二枚の石膏ボード８，８からなる層（第四層，第五層）と、を有する。
一方、第二壁面部４は、複数の縦桟材１および複数の横桟材２の他面側に取り付けられる合板６からなる層（第一層）と、当該合板６に重ね合わせられる金属板７からなる層（第二層）と、当該金属板７の表面に設けられる粘弾性材Ｎからなる層（第三層）と、当該粘弾性材Ｎに重ね合わせられる石膏ボード８からなる層（第四層）と、当該石膏ボード８に重ね合わせられる硬質石膏ボード９からなる層（第五層）と、を有する。
【００３２】
粘弾性材Ｎとしては、粘性のある塗布できるタイプのもの、例えば「グリーングルー」（登録商標）が採用されており、第二層の金属板７と第四層の石膏ボード８との間に容易に介在させることができる。
その他、シリコーン接着剤のように弾性に優れたものを採用してもよいものとする。
また、上述の壁パネル１０に比して粘弾性材Ｎの分、厚みが増してしまわないように、金属板７の厚さを０．３ｍｍ程度に薄く設定することが好ましい。
【００３３】
壁パネル１０，１０Ａには、最終的に仕上げ材として、壁紙やクロスが設けられたり、塗装がなされたりするため、施工後においては石膏ボード８と硬質石膏ボード９の違いがわかりにくくなる。
【００３４】
本実施の形態の壁構造（または壁パネル１０，１０Ａ）は、図示はしないが、界壁（隔壁、仕切壁とも言う）として、一方の空間と他方の空間との境界に設けられる。ただし、これに限られるものではなく、当該壁構造（または壁パネル１０，１０Ａ）を、屋外に面する外壁として用いてもよいものとする。外壁として用いる場合は、屋外に面する側にさらに外壁材等が設けられることになる。
また、このような壁構造は、戸建て住宅や共同住宅、オフィスビル等を始めとする様々な建築物に適用させることができる。
【００３５】
以上のような本実施の形態によれば、第二壁面部４は、第一壁面部３の層に対応した同じ種類の層と、異なる種類の層と、を有するので、第一壁面部３と第二壁面部４とで振動の特性が異なるものとなり、共振現象が発生しにくくなる。これによって、第一壁面部３が面する部屋等の空間で発生した音の振動が、第二壁面部４が面する部屋等の空間に伝わりにくくなるので、遮音性能を高めることができる。
【００３６】
また、第二壁面部４は、第一壁面部３の石膏ボード８からなる層に対応する層として、当該石膏ボード８とは異なる種類である硬質石膏ボード９からなる層を有するので、第一壁面部３と第二壁面部４とで振動の特性を異なるものとすることができる。また、硬質石膏ボード９は、通常の石膏ボード８に比して強度の面でも優れる。
【００３７】
また、第一壁面部３および第二壁面部４は、互いに対応する層として、金属板７からなる層を有するので、遮音性能や強度を向上させることができる。
【００３８】
また、第一壁面部３および第二壁面部４は、互いに対応する層として、粘弾性材Ｎからなる層を有するので、当該粘弾性材Ｎによって第一壁面部３および第二壁面部４の制振を行うことができ、遮音性能をより高めることができる。
【００３９】
また、複数の横桟材２の縦方向の間隔Ｐ１，Ｐ２は、部分的に不均等になるように設定されているので、全体的な振動の特性が均質化しなくなる。これによって、共振現象が発生しにくくなるので、遮音性能をより高めることができる。
【００４０】
また、壁構造を適用してなる壁パネル１０（１０Ａ）によれば、壁パネル１０（１０Ａ）として予め工場で製造できるとともに持ち運びもしやすいので、施工性を向上させることができる。
また、格子枠状に組まれた複数の縦桟材１と複数の横桟材２の一面側および他面側に、第一壁面部３および第二壁面部４のそれぞれが設けられているので、壁パネル１０（１０Ａ）として形成しても、共振現象の発生を抑えることができ、遮音性能を高めることが可能となる。
【符号の説明】
【００４１】
１  縦桟材
２  横桟材
２ａ  切欠部
３，３Ａ  第一壁面部
４，４Ａ  第二壁面部
５  断熱材
６  合板
７  金属板
８  石膏ボード
９  硬質石膏ボード
１０，１０Ａ  壁パネル
１１  ネジ
Ｎ  粘弾性材
Ｐ１  間隔（均等）
Ｐ２  間隔（不均等）
【図１】
2015232248.tif 000003
【図２】
2015232248.tif 000004
【図３】
2015232248.tif 000005